(57)【要約】      （修正有）【課題】十分な耐久性を有し、多数回の再利用が十分に可能で、かつ、画鋲によるポスターの貼付掲示をも可能にする環境適応型公営選挙用ポスター掲示板を提供する。【解決手段】薄板材１０と骨格材とを備える。薄板材１０は、圧縮合成樹脂からなる基板１１と、基板１１の表面の全体及び裏面の全体にそれぞれ積層した一対の金属層１２，１３とから形成し、更に、基板１１の表面の金属層１２にポスター貼付用の区画を印刷してなる。基板１１と少なくとも表面側の金属層１２とは、画鋲Ｐの針部Ｓを貫通して突き刺し自在、かつ、抜き取り自在とされると共に、画鋲Ｐの針部Ｓを貫通して突き刺したときに、圧縮合成樹脂からなる基板１１が内部応力により画鋲Ｐの針部Ｓの周面を押圧して保持するようになっている。【選択図】図５
0003145502.tif 000002
【実用新案登録請求の範囲】
【請求項１】
表面に選挙用ポスターを貼り付け自在な薄板材と、
長尺状をなし、前記薄板材の裏面に固着されて前記薄板材の全体の剛性を維持するアルミ材料製の骨格材とを備え、
前記薄板材を、圧縮合成樹脂からなる基板と、前記基板の表面の全体及び裏面の全体にそれぞれ積層した一対の金属層とから形成し、更に、前記基板の表面の金属層にポスター貼付用の区画を印刷してなり、
前記基板と少なくとも前記表面側の金属層とを画鋲の針部を貫通して突き刺し自在、かつ、抜き取り自在とすると共に、前記画鋲の針部を貫通して突き刺したときに、前記圧縮合成樹脂からなる基板が内部応力により当該画鋲の針部の周面を押圧して保持するようにしたことを特徴とする環境適応型公営選挙用ポスター掲示板。
【請求項２】
表面に選挙用ポスターを貼り付け自在な薄板材と、
長尺状をなし、前記薄板材の裏面に固着されて前記薄板材の全体の剛性を維持するアルミ材料製の骨格材とを備え、
前記薄板材を、圧縮ポリプロピレンからなる基板と、前記基板の表面の全体及び裏面の全体に積層したアルミ薄層からなる一対の金属層とから形成し、更に、前記基板の表面の金属層にポスター貼付用の区画を有する塗料層からなる印刷層を印刷してなり、
前記薄板材の全体の厚みを画鋲の針部の長さ以内の厚みとして、前記基板と前記両金属層と前記塗料層とを画鋲の針部を貫通して突き刺し自在、かつ、抜き取り自在とすると共に、前記画鋲の針部を貫通して突き刺したときに、前記圧縮ポリプロピレンからなる基板が内部応力（残留応力）により当該画鋲の針部の周面を押圧して保持し、かつ、当該画鋲の抜き取り後は、前記圧縮ポリプロピレンからなる基板が内部応力により当該画鋲の針部の穿孔を縮小するようにしたことを特徴とする環境適応型公営選挙用ポスター掲示板。
【考案の詳細な説明】
【技術分野】
【０００１】
本考案は、環境適応型公営選挙用ポスター掲示板に関し、特に、繰り返して使用することができ、選挙経費の削減及び節税に十分貢献することができ、ユニットを自在に組み合わせることで候補者の人数の増加に自在に対処することができ、その設営及び撤去を迅速に行うことができ、利便性に優れた環境適応型公営選挙用ポスター掲示板に関するものである。
【背景技術】
【０００２】
従来の公営選挙用ポスター掲示板は、垂木等の木枠にベニヤ板等の木製の薄板材を釘打ちにより貼り付けて構成される。そして、公営選挙開催の度に、候補者の人数等に応じて木枠及び薄板材を所定寸法に切断し、木枠に薄板材を釘打ちにより貼り付けて公営選挙用ポスター掲示板を作成し、所定の掲示場所に設営するという作業を行っている。
【０００３】
しかし、従来の公営選挙用ポスター掲示板は、上記のように、木材製であるため、風雨等により破損する等の心配があり、耐久性の点で改善する余地がある。また、従来の公営選挙用ポスター掲示板は、木枠に薄板材を釘打ちして作成するため、材料の切断作業や釘打ち作業等、その作成作業に手間がかかり、ひいては設営作業にも時間がかかるという点が指摘されている。更に、従来の公営選挙用ポスター掲示板は、選挙後に撤収されるが、上記耐久性の点で再利用が困難であったり、木枠や薄板材等の分解作業が面倒であったり、分解後の木枠や薄板材等の用途が非常に限られたりする等の理由により、撤収後は廃棄処分とされている。特に、近年、地球環境への負荷や資源の枯渇が深刻視される中、公営選挙用ポスター掲示板も、環境に十分に配慮したものとする必要があり、その再利用性や、材料のリサイクル性等を実現すべきであるという社会的要請がますます高まっている。
【０００４】
一方、これらの点を鑑みて、従来の公営選挙用ポスター掲示板として、木材以外の再生可能な材料を使用するものが提案されている。例えば、木製の薄板材の代わりに、薄いプラスチック板の表面及び裏面にアルミ箔を貼り付けたものを薄板材として使用したり、肉厚１ｍｍ程度のアルミ板を薄板材として使用したり、貝殻やＰＥＴボトルの再生材を主原料とした薄板材を使用したりする公営選挙用ポスター掲示板（以下、従来型公営選挙用ポスター掲示板という）が提案されている。
【０００５】
しかし、これらの従来型公営選挙用ポスター掲示板は、薄板材としてプラスチック板、アルミ板、貝殻、ＰＥＴボトルの再生材等を使用するため、ある程度の耐久性の向上は期待できるものの、木枠部分の耐久性は従来の木製の公営選挙用ポスター掲示板と同程度になることが予想される。また、従来型公営選挙用ポスター掲示板は、やはり、薄板材を木枠に釘打ちする等の作業が必要で、作成作業及び設営作業の削減という点でも改善する余地がある。更に、従来型公営選挙用ポスター掲示板は、プラスチック板、アルミ板、貝殻、ＰＥＴボトルの再生材等、再生可能な材料を一部に使用するものの、プラスチック板、アルミ板、貝殻、ＰＥＴボトルの再生材等を再生可能な状態にするには、薄板材を木枠に固定している釘を引き抜く等の分解作業が必要であり、その分解作業が面倒である。更に、木枠や釘等の材料は、やはり、木製の公営選挙用ポスター掲示板の場合と同様の理由により、廃棄処分とされている。即ち、従来型公営選挙用ポスター掲示板は、やはり、再利用性、リサイクル性等の点で社会的要請を十分に満足するものではない。更に、選挙ポスターは、画鋲により公営選挙用ポスター掲示板の所定区画に貼り付ける場合があるが、この場合、公営選挙用ポスター掲示板の薄板材としてプラスチック板、アルミ板、貝殻、ＰＥＴボトルの再生材等を使用した場合、薄板材が硬すぎて画鋲の針部を突き刺すことができず、ポスターの貼り付け及び掲示自体が困難となったり、逆に。薄板材が軟らかすぎて画鋲の針部が薄板材に刺さらなかったり、硬度が過小である場合には画鋲の針部を薄板材に刺したとしてもすぐに離脱又は移動してしまったりする可能性がある。
【０００６】
ここで、特許文献１に記載の掲示板では、芯材の表裏面に、ポスターを掲示するための金属製又は硬質樹脂製の前後の基板が重ね合わせられ、該芯材と該前後の基板が一体化されている。また、該前後の基板の夫々には開口部が設けられ、該前後の開口部を塞ぐように、止着する画鋲のピンを突き刺し状態で支持する支持片が介在されている。前記芯材は、金属製、木製或いは樹脂製の矩形枠で構成され、前記基板の外周縁が前記芯材の外周縁に合致せしめられている。また、前記矩形枠内において且つ前記前後の基板間に、ゴム質素材、コルク等の木質素材或いはフェルトからなる、前記支持片を構成する台座片が、前記前後の開口部を内側から覆うように設けられており、且つ、ゴム質素材、コルク等の木質素材或いはフェルトからなる、前記支持片を構成する嵌入突部が、前記台座片の表面及び裏面に接着されている。該嵌入突部の表面は前記基板の表面と面一であり、また、前後の基板の夫々の表面に、該ポスターを掲示するための区画が上下二段に且つ左右方向に複数形成されている。夫々の区画には、各候補者のポスター掲示場所を番号表示する数字が付されており、一方の基板の表面には、上から下に向けて数が一つ大きくなり且つ、右から左に向けて、或いは左から右に向けて数が大きくなるように数字が付されると共に、他方の基板の表面には、上から下に向けて数が一つ大きくなり、且つ、右から左に向けて、或いは左から右に向けて数が三つ大きくなるように数字が付されている。
【特許文献１】特許第３５７４８１８号公報
【考案の開示】
【考案が解決しようとする課題】
【０００７】
しかし、特許文献1に記載の掲示板は、画鋲によりポスターを貼り付け可能であるものの、画鋲の針部（ピン）を突き刺して保持するために、前後の基板の夫々に設けた前後の開口部を塞ぐように支持片を介在する必要がある。なお、前記基板を保持する芯材は、金属製、木製或いは樹脂製の矩形枠で構成され、基板の外周縁が芯材の外周縁に合致せしめられている。また、前記支持片は、ゴム質素材、コルク等の木質素材或いはフェルトからなる台座片と、ゴム質素材、コルク等の木質素材或いはフェルトからなる、前記支持片を構成する嵌入突部とを有し、台座片を前記基板の前後の開口部を内側から覆うように設けると共に、嵌入突部を台座片の表面及び裏面に接着して構成される。即ち、特許文献1に記載の掲示板は、画鋲によるポスターの貼り付けを可能にするために、芯材及び基板の構成に加えて、画鋲を突き刺し自在な素材であるゴム質素材、コルク等の木質素材或いはフェルトから形成した台座片及び嵌入突部からなる支持片を必要とする。更に、芯材は金属製、木製或いは樹脂製の矩形枠であり、基板は金属製又は硬質樹脂製であり、支持片はゴム質素材製、コルク等の木質素材製或いはフェルト製であり、それぞれ性質の異なる材料である。したがって、特許文献1に記載の掲示板は、各構成部品の分解及び分別が面倒であり、再利用性の点で改善する余地がある。
【０００８】
そこで、本考案は、十分な耐久性を有し、多数回の再利用が十分に可能で、かつ、画鋲によるポスターの貼付掲示をも可能にすると共に、再利用しない場合でも材料としてのリサイクルを容易に行うことができる環境適応型公営選挙用ポスター掲示板の提供を課題とする。
【課題を解決するための手段】
【０００９】
請求項１に係る環境適応型公営選挙用ポスター掲示板は、表面に選挙用ポスターを貼り付け自在な薄板材と、長尺状をなし、前記薄板材の裏面に固着されて前記薄板材の全体の剛性を維持するアルミ材料製の骨格材とを備える。前記薄板材は、圧縮合成樹脂からなる基板と、前記基板の表面の全体及び裏面の全体にそれぞれ積層した一対の金属層とから形成し、更に、前記基板の表面の金属層にポスター貼付用の区画を印刷してなる。前記基板と少なくとも前記表面側の金属層とは、画鋲の針部を貫通して突き刺し自在、かつ、抜き取り自在とされると共に、前記画鋲の針部を貫通して突き刺したときに、前記圧縮合成樹脂からなる基板が内部応力（残留応力）により当該画鋲の針部の周面を押圧して保持するようになっている。
【００１０】
請求項２に係る環境適応型公営選挙用ポスター掲示板は、表面に選挙用ポスターを貼り付け自在な薄板材と、長尺状をなし、前記薄板材の裏面に固着されて前記薄板材の全体の剛性を維持するアルミ材料製の骨格材とを備える。前記薄板材は、圧縮ポリプロピレンからなる基板と、前記基板の表面の全体及び裏面の全体に積層したアルミ薄層からなる一対の金属層とから形成し、更に、前記基板の表面の金属層にポスター貼付用の区画を有する（アクリル塗料層等の）塗料層からなる印刷層を印刷してなる。前記薄板材の全体の厚みは、画鋲の針部の長さ以内の厚みとされ、前記基板と前記両金属層とは、画鋲の針部を貫通して突き刺し自在、かつ、抜き取り自在とされると共に、前記画鋲の針部を貫通して突き刺したときに、前記圧縮ポリプロピレンからなる基板が内部応力（残留応力等）により当該画鋲の針部の周面を押圧して保持し、かつ、当該画鋲の抜き取り後は、前記圧縮ポリプロピレンからなる基板が内部応力により当該画鋲の針部の穿孔を縮小する（好ましくは、完全に消失する）ようになっている。
【考案の効果】
【００１１】
請求項１に係る環境適応型公営選挙用ポスター掲示板は、骨格材及び薄板材の２部品により構成することができ、全体の構成をコンパクト化して製造が容易となり、かつ、アルミ製の骨格材により十分な耐久性を確保することができる。また、その構成要素である骨格材が１００％アルミ材料からなるため、アルミ材料自体の有する高い耐久性及びリサイクル性を付与される。更に、薄板材の材料は、基板の樹脂材料及び金属層の金属材料から構成されるため、その分離作業も比較的容易であり、また、基板の材料に対して金属層の材料の占める割合は非常に低いため、基板の樹脂材料のみの再利用だけを意図すれば、再利用のための工程を簡素化することができる。また、薄板材は、基板が圧縮合成樹脂からなり、高い剛性と強度並びに耐久性を有すると共に、基板の両面の金属層が基板の表裏面に高い耐久性や耐候性並びに意匠性を付与する。したがって、かかるアルミ製の骨格材及び薄板材からなる環境適応型公営選挙用ポスター掲示板は、十分な耐久性を有すると共に、薄板材表面の金属層への選挙用ポスターの多数回の貼付を可能とし、多数回の再利用が十分に可能である。更に、薄板材は、基板と少なくとも前記表面側の金属層とが、画鋲の針部を貫通して突き刺し自在であり、かつ、抜き取り自在であると共に、前記画鋲の針部を貫通して突き刺したときに、前記圧縮合成樹脂からなる基板が内部応力（残留応力）により当該画鋲の針部の周面を押圧して保持するため、画鋲によるポスターの貼付掲示が可能となり、かつ、画鋲の針部を薄板材に突き刺したときには、意図して抜き取る力を画鋲に加えない限り、画鋲の針部が薄板材から容易に不意に離脱することはなく、画鋲によりポスターを定位置に安定して保持することができる。一方、ポスターの取り外し時には、薄板材の基板の内部応力に抗して画鋲の針部を抜き取る力を加えれば、画鋲を薄板材から抜き取ることができ、ポスターの取り外し作業に支障をきたすことはない。
【００１２】
請求項２に係る環境適応型公営選挙用ポスター掲示板は、請求項１の作用効果に加え、ポスターを取り外して薄板材から画鋲の針部を抜き取った後は、薄板材の基板の内部応力により薄板材の少なくとも基板部分における画鋲の針部の穿孔が縮小される（好ましくは消失される）ため、再利用時（ポスター再掲示時）の画鋲跡（針部の穿孔）を目立たなくして、意匠性を向上すると共に、再利用時（ポスター再掲示時）に新たなポスターを画鋲により再度貼り付けるときに、画鋲の針部が前回の画鋲の針部と同一位置に突き刺された場合でも、前回の穿孔を縮小或いは消失した圧縮ポリプロピレン製の基板が、その内部応力により、前回と同様に画鋲の針部を確実に保持し、意図して抜き取る力を画鋲に加えない限り、画鋲の針部が薄板材から容易に不意に離脱することはなく、画鋲によりポスターを定位置に安定して保持することができる。
【考案を実施するための最良の形態】
【００１３】
以下、本考案の実施の形態を説明する。図１は本考案の一実施の形態に係る環境適応型公営選挙用ポスター掲示板の背面側の主要部を示す分解斜視図である。図２は本考案の一実施の形態に係る環境適応型公営選挙用ポスター掲示板の主要部を示す断面図である。図３は本考案の一実施の形態に係る環境適応型公営選挙用ポスター掲示板の一部を破断して示す正面図である。図４は本考案の一実施の形態に係る環境適応型公営選挙用ポスター掲示板の設営状態を背面側からみて示す斜視図である。図５は本考案の一実施の形態に係る環境適応型公営選挙用ポスター掲示板の薄板材を画鋲と共に示す要部断面図であり、（ａ）は画鋲の針部を薄板材に突き刺したときの薄板材の画鋲の保持状態を示し、（ｂ）は画鋲の針部を薄板材から抜き取ったときの初期段階における薄板材に形成された画鋲の針部の穿孔の状態を示し、（ｃ）は画鋲の針部を薄板材から抜き取ったときの最終段階における薄板材に形成された画鋲の針部の穿孔の状態を示す。
【００１４】
図１〜図３に示すように、本実施の形態に係る環境適応型公営選挙用ポスター掲示板は、長尺状をなし、前記薄板材１０の裏面に固着されて前記薄板材１０の全体の剛性を維持するアルミ材料製の骨格材２０とを備える。薄板材１０は、図4に示すように、圧縮ポリプロピレン（高圧縮ＰＰ）からなる基板１１と、前記基板１１の表面の全体及び裏面の全体に積層したアルミ薄層からなる一対の金属層１２，１３とから形成し、更に、基板１１の表面の金属層１２にポスター貼付用の区画を有するアクリル塗料層や白焼塗料層等の塗料層からなる印刷層１４を印刷してなる。薄板材１０の全体の厚みは、ポスターの貼付掲示用に通常使用される画鋲Ｐの針部Ｓの長さ以内の厚みとされている。そして、基板１１と両金属層１２，１３と塗料層１４とは、それぞれ、画鋲Ｐの針部Ｓを貫通して突き刺し自在、かつ、抜き取り自在とされると共に、画鋲Ｐの針部Ｓを貫通して突き刺したときに、圧縮ポリプロピレンからなる基板１１がその内部応力（残留応力等による内部応力）により当該画鋲Ｐの針部Ｓの周面を押圧して保持し、かつ、当該画鋲Ｐの抜き取り後は、圧縮ポリプロピレンからなる基板１１がその内部応力により当該画鋲Ｐの針部Ｓの穿孔Ｈを縮小する（好ましくは完全に消失する）ようになっている。詳細には、基板１１の圧縮ポリプロピレンとしては、簡易組立型（折畳式）ボート等に使用される板状の圧縮ポリプロピレンを使用することができ、薄板材１０をできるだけコンパクトにして全体の重量の軽量化を図ると共に、必要な強度及び剛性を確保するため、その厚みは約２〜５ｍｍの範囲とし、好ましくは、約３ｍｍとする。この圧縮ポリプロピレンは、ポリプロピレン樹脂を圧縮成形により高密度となるよう圧縮して固化したものであり、大きな強度及び剛性並びに耐久性及び耐候性等の諸特性を有し、特に野外で使用される本環境適応型公営選挙用ポスター掲示板の薄板材１０の基板１１の材料として好適に使用することができる。なお、圧縮成形による基板１１の製造方法としては、例えば、ポリプロピレン樹脂材料（パウダー状等の形態）を圧縮成形機の金型内に充填し（充填工程）、圧縮プレス等により予備成形した後（予備成形工程）、所定加熱温度及び所定高圧力の条件で焼成し（焼成工程）、所定時間冷却した後（冷却工程）、金型から取り出すことで（取出し工程）所定の板状素材（基板１１の原素材）を製造することができる。或いは、肉厚ポリプロピレンシートやグラスファイバー等の補強繊維入りのポリプロピレンシートを溶融温度以上に加熱して金型内で高圧プレス成形することにより、所定の板状素材（基板１１の原素材）を製造することができる。
【００１５】
ここで、圧縮ポリプロピレン製の基板１１は、通常のポリプロピレン製の板材に比較して内部の樹脂密度が非常に高密度となっており、画鋲Ｐの針部Ｓを突き刺したときに、少なくとも、画鋲Ｐの針部Ｓの外周面を押圧する程度の内部応力を当該画鋲Ｐの針部Ｓの外周面に対して発生し、画鋲Ｐの針部Ｓの外周面の全体を密接して押圧保持することができるものである。
【００１６】
一方、薄板材１０の表面及び裏面に積層形成されるアルミニウム等の所定金属からなる金属層１２，１３は、基板１１を表面処理することで基板１１の表面の全体及び裏面の全体を被覆して積層形成することができる。例えば、基板１１の表面処理としては、基板１１の表面及び裏面の全体と同一寸法に成形したアルミ箔やアルミ薄層等の金属層１１，１２を、基板１１の表面及び裏面に対して、接着、溶着等により積層固着して一体化することができる。或いは、基板１１の表面及び裏面に対してスパッタリング等の金属蒸着法により金属層１２，１３をそれぞれ積層形成することもできる。いずれの場合、金属層１２，１３の厚みは、基板１１の表面及び裏面における耐久性や耐候性等の好ましい特性を付与でき、かつ、画鋲Ｐの針部Ｓの突き刺しを可能とする点から、２００〜３００μｍの範囲とすることが好ましい。
【００１７】
環境適応型公営選挙用ポスター掲示板は、複数の骨格材２０を上記構成の１枚の薄板材１０の裏面の上下方向に所定間隔を置いて互いに平行に左右方向に延びるよう配置して固着している。例えば、図３に示すように、薄板材１０の表面に印刷されるポスター掲示枠１０ａが上下２列の場合、骨格材２０は、薄板材１０の上端、上下中央及び下端の上下３列に設けられる。なお、骨格材２０は、薄板材１０の上下方向に１列、２列または４列以上設けることも可能である。各骨格材２０は、薄板材１０の裏面に固着される帯板状の固着部２１と、前記固着部２１から略直交状態で突出する長尺状の一対の掛止片２２とからなる。両掛止片２２は、先端部を互いに対向するよう略９０度折り曲げてそれぞれ断面Ｌ字状となっている。これにより、両掛止片２２の先端間に一定幅のスライド溝２３が形成されると共に、両掛止片２２の内部にスライド溝２３より大きい幅の断面矩形状をなすスライド凹部２４が形成される。骨格材２０を薄板材１０の裏面に固着するには、例えば、前記固着部２１の幅方向両端部を薄板材１０の裏面（裏面の金属層１３）にスポット溶接により溶接したり、固着部２１の裏面を薄板材１０の裏面（裏面の金属層１３）に金属接着剤を介して接着したりする。
【００１８】
環境適応型公営選挙用ポスター掲示板は、設営場所に固定するための固定手段として、骨格材２０のスライド凹部２４にその長さ方向へのスライド自在に収容されると共に両掛止片２２に掛止される頭部３１と、スライド溝２３から骨格材２０の外部へと略直交状態で突出する軸部３２とを有するボルト３０と、ボルト３０の軸部３２に螺合するナット３５とを備える。固定手段としてのボルト３０及びナット３５の対は、ボルト３０の軸部３２を相通して頭部３１を係止できる部材または部位が設営場所に存在する場合には、かかる部材または部位にボルト３０及びナット３５を介して環境適応型公営選挙用ポスター掲示板を締結して固定することができ、単独で固定手段として機能する。しかし、通常は、以下に述べる固定手段と組み合わせて使用することが好ましい。
【００１９】
図４に示すように、環境適応型公営選挙用ポスター掲示板は、前記固定手段として、更に、長尺状をなす主柱材４０を備えている。主柱材４０は、ボルト３０の軸部３２を挿通自在な挿通孔４１を、前記複数の骨格材２０の配置間隔と同一間隔で長さ方向に複数形成している。詳細には、各主柱材４０は、略直交する一対の帯板状の部分からなる断面略Ｌ字状をなし、一方の帯板状の部分に前記挿通孔４１を形成している。挿通孔４１は、主柱材４０の長さ方向に延びる長孔状をなしている。なお、挿通孔４１の数は、少なくとも、骨格材２０と同数とすることが好ましく、環境適応型公営選挙用ポスター掲示板の高さ調整を可能にするため、骨格材２０より多い数とすることがより好ましい。主柱材４０は、図４に示すように、薄板材１０の裏面側に骨格材２０と略直交するよう配置した状態で、骨格材に取付けたボルト３０の軸部３２を挿通孔４２に挿入して、ナット３５を螺合することにより、骨格材２０に略直交状態で固定されるようになっている。図示はしないが、主柱材４０の下端は先鋭化され、骨格材２０に略直交状態で固定した主柱材４０を地面に直接差し込むことにより、主柱材４０を介して環境適応型公営選挙用ポスター掲示板を設営場所に固定するようになっている。また、主柱材４０をガードレールの縦框部分や支柱等、上下方向に延びる柱状または棒状の部材に番線等で固定することにより、環境適応型公営選挙用ポスター掲示板を設営場所に固定することもできる。
【００２０】
一方、主柱材４０は、他方の帯板状の部分にも所定間隔で、ボルト３０の軸部３２を挿通自在な第２の挿通孔４２を形成している。第２の挿通孔４２は、主柱材４０の長さ方向に延びる長孔状をなしている。本実施の形態に係る環境適応型公営選挙用ポスター掲示板は、図４中二点鎖線で示すように、前記固定手段として、更に、ボルト３０の軸部３２を挿通自在な挿通孔５１を長さ方向に所定間隔で複数形成した長尺状の支柱材５０を備えている。支柱材５０は、主柱材４０の他方の帯板状の部分に、ボルト３０及びナット３５により締結するようになっている。支柱材５０は、主柱材４０と同一構成とされている。即ち、本実施の形態にかかる環境適応型公営選挙用ポスター掲示板は、生産性等の点から、支柱材５０として主柱材４０を兼用している。詳細には、支柱材５０は、主柱材４０と同様、略直交する一対の帯板状の部分からなる断面略Ｌ字状をなしている。支柱材５０の一方の帯板状の部分には、前記挿通孔５１が所定間隔で形成されている。挿通孔５１は、支柱材５０の長さ方向に延びる長孔状をなしている。支柱材５０は、図４に示すように、骨格材２０に一方の帯板状部分を締結（ボルト止め）した主柱材４０の他方の帯板状部分に、その一方の帯板状部分を傾斜状態で当接配置し、その挿通孔５１を前記主柱材４０の他方の帯板状部分の第２の挿通孔４２に位置合わせして重ねた状態で、その挿通孔５１及び主柱材４０の第２の挿通孔４２にボルト３０の軸部３２を挿入してナット３５を螺合することにより、主柱材４０に連結固定するようになっている。図示はしないが、支柱材５０の下端も主柱材と同様に先鋭化され、主柱材４０に傾斜状態で固定した支柱材５０を地面に直接差し込むことにより、支柱材５０を介して主柱材４０を後方から支持し、環境適応型公営選挙用ポスター掲示板を設営場所により安定的に固定するようになっている。
【００２１】
ここで、主柱材４０の第２の挿通孔４２は、挿通孔４１から突出するボルト３０の軸部３２と干渉しない位置に形成されている。即ち、図４に示すように、主柱材４０の挿通孔４１にボルト３０の軸部３２を挿通してナット３５を螺合した後、支柱材５０の挿通孔５１及び主柱材４０の第２の挿通孔４２にボルト３０の軸部３２を挿通してナット３５を螺合するときに、主柱材４０の挿通孔４１から突出する軸部３２及びナット３５が、かかるボルト３０の軸部３２の挿通作業及び軸部３２へのナット３５の螺合作業を妨げることがないようにしている。これにより、主柱材４０に支柱材５０を締結固定する作業を妨げることがない。なお、主柱材４０の第２の挿通孔４２は、主柱材４０の生産性等の点から、挿通孔４１と同一間隔で形成することが好ましいが、無論、挿通孔４１と異なる間隔で形成してもよい。また、主柱材４０の第２の挿通孔４２は、主柱材４０の生産性等の点から、挿通孔４１と同一高さ位置に形成することが好ましいが、挿通孔４１から突出するボルト３０の軸部３２と干渉しない位置に形成する限りにおいて、挿通孔４１と異なる高さ位置に形成してもよい。
【００２２】
本実施の形態に係る環境適応型公営選挙用ポスター掲示板は、図４中二点鎖線で示すように、前記固定手段として、更に、ボルト３０の軸部３２を挿通自在な挿通孔６１を長さ方向に所定間隔で複数形成した長尺状の第２の支柱材６０を備えている。第２の支柱材６０は、支柱材５０の他方の帯板状の部分に、ボルト３０及びナット３５により締結するようになっている。第２の支柱材６０は、主柱材４０または支柱材５０と同一構成とされている。即ち、本実施の形態にかかる環境適応型公営選挙用ポスター掲示板は、生産性等の点から、第２の支柱材６０として主柱材４０または支柱材５０を兼用している。詳細には、第２の支柱材６０は、主柱材４０または支柱材５０と同様、略直交する一対の帯板状の部分からなる断面略Ｌ字状をなしている。第２の支柱材６０の一方の帯板状の部分には、前記挿通孔６１が所定間隔で形成されている。挿通孔６１は、第２の支柱材６０の長さ方向に延びる長孔状をなしている。第２の支柱材６０は、図４に示すように、各主柱材４０の他方の帯板状の部分に傾斜状態で固定した支柱材５０の他方の帯板状部分に対して、その一方の帯板状部分を垂直状態で当接配置し、その挿通孔６１を支柱材５０の第２の挿通孔５２に位置合わせして重ねた状態で、その挿通孔６１及び支柱材５０の第２の挿通孔５２にボルト３０の軸部３２を挿入してナット３５を螺合することにより、支柱材５０に連結固定するようになっている。図示はしないが、第２の支柱材６０の下端も主柱材４０または支柱材５０と同様に先鋭化され、支柱材５０に垂直状態で固定した第２の支柱材６０を地面に直接差し込むことにより、第２の支柱材６０を介して支柱材５０による主柱材４０の後方からの支持を補助するようにしている。
【００２３】
上記のように構成した本実施の形態に係る環境適応型公営選挙用ポスター掲示板は、主要部分としてのポスター掲示部分を、薄板材１０及び骨格材２０の２部品により構成することができ、全体の構成をコンパクト化して製造が容易となり、かつ、アルミ製の骨格材２０により全体として十分な耐久性を確保することができる。また、環境適応型公営選挙用ポスター掲示板は、その構成要素である骨格材２０が１００％アルミ材料からなるため、アルミ材料自体の有する高い耐久性及びリサイクル性を付与される。更に、薄板材１０の材料は、基板１１の樹脂材料であるポリプロピレン（高圧縮ポリプロピレン）及び金属層１２，１３の金属材料としてのアルミニウム材料から構成されるため、その分離作業も比較的容易であり、また、基板１１の材料に対して金属層１２，１３の材料の占める割合は非常に低いため、基板１１の樹脂材料のみの再利用だけを意図すれば、再利用のための工程を簡素化することができる。また、薄板材１０は、基板１１が圧縮合成樹脂としての圧縮ポリプロピレンからなり、高い剛性と強度並びに耐久性を有すると共に、基板１１の両面の金属層１２，１３であるアルミニウム層が、基板１１の表裏面に高い耐久性や耐候性並びに意匠性を付与する。したがって、かかるアルミ製の骨格材２０及び薄板材１０からなる環境適応型公営選挙用ポスター掲示板は、十分な耐久性を有すると共に、薄板材１―表面の金属層１２への選挙用ポスターの多数回の貼付を可能とし、多数回の再利用が十分に可能である。更に、薄板材１０は、基板１１と少なくとも前記表面側の金属層１２とが、画鋲Ｐの針部Ｓを貫通して突き刺し自在であり、かつ、抜き取り自在であると共に、画鋲Ｐの針部Ｓを貫通して突き刺したときに、圧縮ポリプロピレンからなる基板１１が内部応力（残留応力等に基づく内部応力）により当該画鋲Ｐの針部Ｓの外周面に密接して押圧して保持するため、画鋲Ｐによるポスターの貼付掲示が可能となり、かつ、画鋲Ｐの針部Ｓを薄板材１０に突き刺したときには、意図して抜き取る力を画鋲Ｐに加えない限り、画鋲Ｐの針部Ｓが薄板材１０から容易に不意に離脱することはなく、画鋲Ｐによりポスターを定位置に安定して保持することができる。一方、ポスターの取り外し時には、薄板材１０の基板１１の内部応力に抗して画鋲Ｐの針部Ｓを抜き取る力を加えれば、画鋲Ｐを薄板材１０から抜き取ることができ、ポスターの取り外し作業に支障をきたすことはない。
【００２４】
更に、ポスターを取り外して薄板材１０から画鋲Ｐの針部Ｓを抜き取った後は、薄板材１０の基板１１の内部応力により薄板材１０の少なくとも基板１１部分における画鋲Ｐの針部Ｓの穿孔Ｈ（画鋲跡）が縮小され、圧縮ポリプロピレンの圧縮密度（及びそれに起因する内部応力の程度）によってはかかる画鋲跡が完全に消失するため、再利用時（ポスター再掲示時）の画鋲跡（針部Ｓの穿孔Ｈ）を目立たなくして、意匠性を向上すると共に、再利用時（ポスター再掲示時）に新たなポスターを画鋲Ｐにより再度貼り付けるときに、画鋲Ｐの針部Ｓが前回の画鋲Ｐの針部Ｓと同一位置に突き刺された場合でも、前回の穿孔Ｈを縮小或いは消失した圧縮ポリプロピレン製の基板１１が、その内部応力により、前回と同様に画鋲Ｐの針部Ｓを確実に保持し、意図して抜き取る力を画鋲Ｐに加えない限り、画鋲Ｐの針部Ｓが薄板材１０から容易に不意に離脱することはなく、画鋲Ｐによりポスターを定位置に安定して保持することができる。加えて、本実施の形態に係る環境適応型公営選挙用ポスター掲示板は、薄板材１０の主要部分が上記圧縮ポリプロピレン製（樹脂製）であるため、全体の重量を大幅に軽量化することができ、薄板材１０を全てアルミニウム製とした場合と比較して、約４０％の軽量化が可能となる。
【００２５】
ところで、本考案に係る環境適応型公営選挙用ポスター掲示板では、薄板材１０の基板としては、高圧縮ポリプロピレン以外にも、同様の剛性、強度、耐久性等を確保できる限りにおいて、他の圧縮合成樹脂からなる基板を使用することができる。また、基板の表面の全体及び裏面の全体に積層形成する金属層も、アルミニウム層と同様の上記特性を有する限りにおいて、任意の金属層から構成することができる。例えば、基板を構成する合成樹脂としては、ポリプロピレン以外にポリエチレン等のポリオレフィン樹脂（圧縮ポリオレフィン樹脂）を使用したり、ポリ塩化ビニル（ＰＶＣ）、ポリスチレン（ＰＳ）、ポリビニルビチラール（ＰＶＢ）、ポリビニルアルコール（ＰＶＡ）、ポリメチルメタクリレート（ＰＭＭＡ）等の他の圧縮樹脂を使用したりすることも可能である。ここで、ポリオレフィン樹脂としては、上記ポリプロピレン（ＰＰ）及び高密度ポリエチレン（ＨＤＰＥ）の他、ポリ酢酸ビニル（ＰＶＡｃ）等があるが、特に、圧縮樹脂としてはポリプロピレン（ＰＰ）を好適に使用することができる。その他、基板の高圧縮樹脂材料としては、リアミド（ＰＡ）、ポリカーボネート（ＰＣ）、飽和ポリエステル（ＰＥＴ，ＰＢＴ）、ポリアセタール（ポリオキシメチレン）（ＰＯＭ）、変性ポリフェニレンエーテル（変性ＰＰＥ）等の熱可塑性樹脂を使用したり、熱硬化性樹脂として、不飽和ポリエステル樹脂（ＦＲＰ）、ポリウレタン（ＰＵ）、フェノール樹脂、ユリア樹脂、メラミン樹脂、エポキシ樹脂等を使用したりすることも可能である。ただし、再利用性（溶融による再成形）を意図する場合には、熱可塑性樹脂を使用することが好ましい。
【００２６】
また、金属層としては、特に、アルミ箔等のアルミ薄層を好適に使用することができるが、この場合、例えば、基板への表面処理として箔押し（ホットスタンピング）を試用することもできる。また、金属層１２，１３を基板１１に接着する接着剤としては、エポキシ系接着剤、シアノアクリレート系接着剤、ポリウレタン系接着剤、変性アクリル樹脂系接着剤、紫外線硬化系接着剤、合成ゴム系接着剤、ホットメルト系接着剤等があり、上記接着剤の中から、合成樹脂の特性を考慮して適宜選択して用いる。
【図面の簡単な説明】
【００２７】
【図１】図１は本考案の一実施の形態に係る環境適応型公営選挙用ポスター掲示板の背面側の主要部を示す分解斜視図である。
【図２】図２は本考案の一実施の形態に係る環境適応型公営選挙用ポスター掲示板の主要部を示す断面図である。
【図３】図３は本考案の一実施の形態に係る環境適応型公営選挙用ポスター掲示板の一部を破断して示す正面図である。
【図４】図４は本考案の一実施の形態に係る環境適応型公営選挙用ポスター掲示板の設営状態を背面側からみて示す斜視図である。
【図５】図５は本考案の一実施の形態に係る環境適応型公営選挙用ポスター掲示板の薄板材を画鋲と共に示す要部断面図であり、（ａ）は画鋲の針部を薄板材に突き刺したときの薄板材の画鋲の保持状態を示し、（ｂ）は画鋲の針部を薄板材から抜き取ったときの初期段階における薄板材に形成された画鋲の針部の穿孔の状態を示し、（ｃ）は画鋲の針部を薄板材から抜き取ったときの最終段階における薄板材に形成された画鋲の針部の穿孔の状態を示す。
【符号の説明】
【００２８】
１０：薄板材、１１：基板、１２，１３：金属層
２０：骨格材、Ｐ：画鋲、Ｓ：針部、Ｈ：穿孔
【図１】
0003145502.tif 000003
【図２】
0003145502.tif 000004
【図３】
0003145502.tif 000005
【図４】
0003145502.tif 000006
【図５】
0003145502.tif 000007